(57)【要約】【課題】当せん番号照合装置において、下段トレイに排出された当せん金付証票を片手の操作だけで回収できるようにする。【解決手段】上段トレイ１７および中段トレイ１８は、当せん金付証票が排出される上段排出口および中段排出口の外側にて跳ね上げ自在に回動できるよう振分排出部１２に突設されているアーム２０，２２に軸支されている。また、中段トレイ１８は、中段トレイ１８の跳ね上げに連動して上段トレイ１７を跳ね上げることができ、その跳ね上げ上限位置にて回転動作を固定状態にできるロック部２４を備えている。ロック部２４は、中段トレイ１８の回転基部２５における軸回り外周面２６に形成された凹部２７と、先端部に中段トレイ１８の跳ね上げ上限位置にて凹部２７と嵌合する凸部２９が形成された樹脂ばね２８とを有している。【選択図】図３
2020001905.tif 000002
【特許請求の範囲】
【請求項１】
投入された抽せん済みの当せん金付証票を抽せん結果と照合する読取部と、抽せん結果に応じて振り分けた前記当せん金付証票を上段トレイ、中段トレイおよび下段トレイに排出する振分排出部とを備えた当せん番号照合装置において、
前記上段トレイおよび前記中段トレイは、前記当せん金付証票が排出される上段排出口および中段排出口の外側にて跳ね上げ自在に回動できるように前記振分排出部に突設されているアームに軸支され、
前記中段トレイは、前記中段トレイの跳ね上げに連動して前記上段トレイを跳ね上げることができる跳ね上げ上限位置にて回転動作が停止されるロック部を備えている、
当せん番号照合装置。
【請求項２】
前記ロック部は、前記アームに軸支されている側にある前記中段トレイの回転基部における軸回り外周面に形成された凹部と、先端部に前記凹部と嵌脱可能な凸部を有していて前記回転基部の前記軸回り外周面を付勢するように前記振分排出部に突設された付勢部材とを有している、請求項１記載の当せん番号照合装置。
【請求項３】
前記ロック部は、前記アームに軸支されている側にある前記中段トレイの回転基部における軸回り外周面に形成された凹部と、一方のアームの先端部に前記凹部と嵌脱可能な凸部を有していて前記回転基部の前記軸回り外周面を付勢するように他方のアームを前記下段トレイに固定されたＵ字状の付勢部材とを有し、
前記付勢部材は、前記下段トレイの上面にて前記当せん金付証票が排出される通路の外側に固定されている、請求項１記載の当せん番号照合装置。
【請求項４】
前記付勢部材は、樹脂ばねである、請求項２または３記載の当せん番号照合装置。
【発明の詳細な説明】
【技術分野】
【０００１】
本発明は、抽せん済みの当せん金付証票（宝くじ券）を抽せん結果と照合するための当せん番号照合装置に関する。
【背景技術】
【０００２】
当せん金付証票を販売する宝くじ売り場および受託銀行には、一般に、抽せん済みの当せん金付証票が当せんしているかどうかを照合するための当せん番号照合装置が備えられている。
【０００３】
当せん番号照合装置としては、当せん金付証票を投入すると、投入された当せん金付証票を一枚ずつ取り込んで抽せん結果と照合し、照合結果に応じて当せん金付証票を複数のトレイに振り分けて排出するものが知られている（例えば、特許文献１参照）。この特許文献１に記載の当せん番号照合装置では、当せん金付証票は、照合結果により、当せん金の支払いが可能な当たり券、外れ券および当せん金の即時支払いができない高額当せん券に振り分けられ、それぞれのトレイに排出されるようになっている。特許文献１に記載の当せん番号照合装置は、大型であり、主として受託銀行用であるが、宝くじ売り場のような狭い場所にも設置できる小型の当せん番号照合装置も開発されている。
【０００４】
図５は従来の小型の当せん番号照合装置の一例を示す側面図である。
図５に示した当せん番号照合装置１００は、正面（図の右端）側に券挿入口を備えた読取部１０１を筐体下部に有し、筐体奥（図の左端）側には振分排出部１０２を有している。読取部１０１は、券挿入口に投入された当せん金付証票を一枚ずつ取り込み、取り込んだ当せん金付証票に印刷された一意の番号を読み取り、抽せん結果の番号と照合する機能を有している。振分排出部１０２は、正面側に照合結果に応じて振り分けられた当せん金付証票を排出する上段排出口１０３、中段排出口１０４および下段排出口１０５が開口している。上段排出口１０３は、高額当せん券排出用、中段排出口１０４は外れ券排出用、そして下段排出口１０５は、当たり券排出用である。
【０００５】
上段排出口１０３、中段排出口１０４および下段排出口１０５の外側には、排出された当せん金付証票を受け止める上段トレイ１０６、中段トレイ１０７および下段トレイ１０８がそれぞれ設けられている。
【０００６】
上段トレイ１０６は、上段排出口１０３の水平方向外側にそれぞれ突設されたアーム１０９に支点１１０を中心に回動自在に軸支されている。すなわち、上段トレイ１０６は、先端が上段排出口１０３の水平位置よりも高い位置に設置される券受取位置（図５では、破線で示す位置）にて自重で静止されている。また、上段トレイ１０６は、先端が持ち上げられることによって、先端が支点１１０を通って鉛直方向に延びる線を越えた跳ね上げ停止位置（図５で実線で示す位置）まで回転することができ、その跳ね上げ停止位置では、自重により跳ね上げ状態が維持される。中段トレイ１０７は、中段排出口１０４の水平方向外側にそれぞれ突設されたアーム１１１に支点１１２を中心に回動自在に軸支されている。すなわち、この中段トレイ１０７は、先端が中段排出口１０４の水平位置よりも高い位置に設置される券受取位置にて自重で静止され、その券受取位置で先端を持ち上げることにより跳ね上げられるようになっている。下段トレイ１０８は、上段トレイ１０６および中段トレイ１０７のように可動式ではなく固定式であり、上面が上段トレイ１０６および中段トレイ１０７の券受取位置における傾斜状態と同じ傾斜角度に形成されている。
【０００７】
この当せん番号照合装置１００において、上段トレイ１０６に排出された当せん金付証票は、そのまま、上段トレイ１０６から拾い上げられる。中段トレイ１０７に排出された当せん金付証票は、上段トレイ１０６を跳ね上げて図５に示した跳ね上げ停止位置まで回転させてから中段トレイ１０７から拾い上げられる。下段トレイ１０８に排出された当せん金付証票は、中段トレイ１０７の先端を持ち上げながら下段トレイ１０８から拾い上げられる。
【先行技術文献】
【特許文献】
【０００８】
【特許文献１】特開昭５８−０９９８７３号公報
【発明の概要】
【発明が解決しようとする課題】
【０００９】
従来の小型の当せん番号照合装置は、コンパクトにする必要性から、上段、中段および下段トレイ間隔が狭く、特に、中段トレイは、跳ね上げ途中で上段トレイにぶつかり、上段トレイのように自重で跳ね上げ停止を維持する位置まで回転させることができない。このため、下段トレイに排出された当せん金付証票は、片手で中段トレイの先端を持ち上げながらもう一方の片手で回収しなければならなかった。
【００１０】
本発明は、このような点を鑑みてなされたものであり、３段の排出用トレイを有する当せん番号照合装置において、下段トレイに排出された当せん金付証票を片手の操作だけで回収できるようにして利便性を高めることを目的とする。
【課題を解決するための手段】
【００１１】
本発明の一観点によれば、投入された抽せん済みの当せん金付証票を抽せん結果と照合する読取部と、抽せん結果に応じて振り分けた当せん金付証票を上段トレイ、中段トレイおよび下段トレイに排出する振分排出部とを備えた当せん番号照合装置が提供される。当せん番号照合装置は、上段トレイおよび中段トレイは、当せん金付証票が排出される上段排出口および中段排出口の外側にて跳ね上げ自在に回動できるように振分排出部に突設されているアームに軸支されている。中段トレイは、中段トレイの跳ね上げに連動して上段トレイを跳ね上げることができる跳ね上げ上限位置にて回転動作が停止されるロック部を備えている。
【発明の効果】
【００１２】
３段の排出用トレイを有する当せん番号照合装置において、中段トレイ跳ね上げ時にロックするロック部を設けたことにより、下段トレイに排出された当せん金付証票を片手の操作だけで回収できるようにして利便性を高めることができるという効果がある。
【図面の簡単な説明】
【００１３】
【図１】第１の実施の形態に係る当せん番号照合装置の一構成例を示す外観斜視図である。
【図２】第１の実施の形態に係る当せん番号照合装置の静止状態を示す側面図である。
【図３】第１の実施の形態に係る当せん番号照合装置の跳ね上げ動作状態を示す側面図である。
【図４】第２の実施の形態に係る当せん番号照合装置の一構成例を示す側面図である。
【図５】従来の小型の当せん番号照合装置の一例を示す側面図である。
【発明を実施するための形態】
【００１４】
［第１の実施の形態］
以下、本発明の第１の実施の形態について、図面を参照して詳細に説明する。
図１は第１の実施の形態に係る当せん番号照合装置の一構成例を示す外観斜視図、図２は第１の実施の形態に係る当せん番号照合装置の静止状態を示す側面図、図３は第１の実施の形態に係る当せん番号照合装置の跳ね上げ動作状態を示す側面図である。
【００１５】
当せん番号照合装置１０は、外観がＬ字状に形成された筐体を有し、水平方向に長い筐体は、当せん金付証票の読取部１１を構成し、垂直方向に長い筐体は、抽せん結果に応じて当せん金付証票を振り分けて排出する振分排出部１２を構成している。
【００１６】
読取部１１は、正面に複数の当せん金付証票を積層状態でまとめて挿入することができる券挿入口１３を有している。読取部１１では、券挿入口１３に挿入された当せん金付証票は、１枚ずつ分離されて読み取られ、順次抽せん結果と照合されて、振分排出部１２に送り込まれる。振分排出部１２では、照合済みの当せん金付証票を受け取ると、高額当せん券、外れ券および当たり券に振り分けて排出する。そのために、振分排出部１２は、その正面側に、上段排出口１４、中段排出口１５および下段排出口１６が設けられている。
【００１７】
上段排出口１４、中段排出口１５および下段排出口１６は、それぞれ排出された当せん金付証票を受け止める上段トレイ１７、中段トレイ１８および下段トレイ１９を有している。
【００１８】
上段トレイ１７は、上段排出口１４の水平方向外側（正面側）にて振分排出部１２に突設されたアーム２０に支点２１を中心に回動自在に軸支されている。上段トレイ１７は、当せん金付証票を受けるときには、図２に示したように、先端が上段排出口１４の水平位置よりも高い位置になるように自重により傾斜状態で静止している。上段トレイ１７の先端を持ち上げて回転された場合、上段トレイ１７は、垂直位置を越えてさらに回転することができる。このため、上段トレイ１７は、垂直位置を越えた位置まで回転したときには、自重でその位置を維持することができる。
【００１９】
中段トレイ１８は、中段排出口１５の水平方向外側にて振分排出部１２に突設されたアーム２２に支点２３を中心に回動自在に軸支されている。中段トレイ１８は、当せん金付証票を受けるときには、先端が上段排出口１４の水平位置よりも高い位置になるように自重により傾斜状態で静止している。中段トレイ１８は、中段トレイ１８の跳ね上げに連動して中段トレイ１８の先端が上段トレイ１７の下面を押し上げることによって上段トレイ１７を跳ね上げることができる。ただ、中段トレイ１８は、上段トレイ１７に邪魔されて上段トレイ１７のように垂直位置まで回転させることができない。そこで、中段トレイ１８は、その跳ね上げ上限位置まで回転したときに、その上限位置を維持することができるようロック部２４を備えている。
【００２０】
このロック部２４は、図３に部分的に拡大して示したように、中段トレイ１８の回転基部２５における軸回り外周面２６に形成された凹部２７と、回転基部２５の軸回り外周面２６に対して付勢するように振分排出部１２に突設された樹脂ばね（付勢部材）２８とを有している。樹脂ばね２８は、その先端部に、中段トレイ１８の跳ね上げ上限位置にて凹部２７と嵌合する凸部２９を有している。これにより、中段トレイ１８は、その跳ね上げ上限位置まで回転されると、樹脂ばね２８の凸部２９が回転基部２５の凹部２７に嵌合して固定状態になる。跳ね上げ上限位置にある中段トレイ１８は、その中段トレイ１８の先端部が押し下げられることにより、樹脂ばね２８の凸部２９が回転基部２５の凹部２７から強制的に離脱され、中段トレイ１８の固定状態が解除される。
【００２１】
下段トレイ１９は、上段トレイ１７および中段トレイ１８のように可動式ではなく固定式であり、上面が上段トレイ１７および中段トレイ１８の券受取位置における傾斜状態と同じ傾斜角度に形成されている。
【００２２】
以上の構成の当せん番号照合装置１０によれば、当せん金付証票を券挿入口１３に投入すると、投入された当せん金付証票は、一枚ずつ取り込まれ、抽せん結果と当せん金付証票に印刷された一意の番号との照合処理が行われる。また、当せん番号照合装置１０は、照合済みの当せん金付証票を照合結果に応じて振り分け、振り分けられた当せん金付証票を上段排出口１４、中段排出口１５および下段排出口１６から排出する。これにより、上段トレイ１７には、高額当せん券が集められ、中段トレイ１８には、外れ券が集められ、下段トレイ１９には、当たり券が集められる。
【００２３】
ここで、上段トレイ１７に排出された当せん金付証票は、そのまま、上段トレイ１７から拾い上げられて回収される。中段トレイ１８に排出された当せん金付証票は、上段トレイ１７を跳ね上げて跳ね上げ停止位置まで回転させてから中段トレイ１８から拾い上げられて回収される。下段トレイ１９に排出された当せん金付証票は、中段トレイ１８の先端を跳ね上げて下段トレイ１９から拾い上げられて回収される。このとき、中段トレイ１８は、中段トレイ１８の跳ね上げ動作に連動して上段トレイ１７を十分に跳ね上げることができる跳ね上げ上限位置まで回転させると、ロック部２４が作用して固定される。
【００２４】
上記のように、中段トレイ１８の跳ね上げ時に中段トレイ１８を固定状態にするロック部２４を設けたことにより、下段トレイ１９に排出された当せん金付証票を片手の操作だけで回収できるため照合済み当せん金付証票の回収操作の利便性を高めることができるという効果がある。
【００２５】
［第２の実施の形態］
図４は第２の実施の形態に係る当せん番号照合装置の一構成例を示す側面図である。
第２の実施の形態に係る当せん番号照合装置１０ａでは、第１の実施の形態のロック部２４以外は、同じ構成であるため、同じ構成については説明を省略する。第２の実施の形態では、第１の実施の形態の樹脂ばね２８を樹脂ばね３２に換えてロック部３１を構成している。
【００２６】
樹脂ばね３２は、Ｕ字状に形成されており、その一方のアームの先端には、中段トレイ１８の回転基部２５における軸回り外周面２６に形成された凹部２７と嵌合する凸部３０が一体に形成され、他方のアームは、下段トレイ１９の上面に固定されている。この下段トレイ１９の上面において、樹脂ばね３２は、排出されてきた当せん金付証票と衝突しないよう当せん金付証票が排出される通路の外側に固定されている。
【００２７】
この当せん番号照合装置１０ａにおいても、排出された当せん金付証票を回収するときの上段トレイ１７および中段トレイ１８の操作は、第１の実施の形態と同様である。
上記の実施の形態では、上段トレイ１７、中段トレイ１８および下段トレイ１９をそれぞれ高額当せん券、外れ券および当たり券に割り当てているが、これらに限定されるものではない。また、ロック部２４，３１には、付勢部材として樹脂ばね２８，３２を用いているが、金属性の板ばねを用いてもよい。
【符号の説明】
【００２８】
１０，１０ａ  当せん番号照合装置
１１  読取部
１２  振分排出部
１３  券挿入口
１４  上段排出口
１５  中段排出口
１６  下段排出口
１７  上段トレイ
１８  中段トレイ
１９  下段トレイ
２０  アーム
２１  支点
２２  アーム
２３  支点
２４  ロック部
２５  回転基部
２６  軸回り外周面
２７  凹部
２８  樹脂ばね
２９  凸部
３０  凸部
３１  ロック部
３２  樹脂ばね
【図１】
2020001905.tif 000003
【図２】
2020001905.tif 000004
【図３】
2020001905.tif 000005
【図４】
2020001905.tif 000006
【図５】
2020001905.tif 000007